(57)【要約】      （修正有）【課題】従来に比べて応答性が鋭いナビゲーションキー及びそれを有する電子機器を提供する。【解決手段】配線基板と、配線基板の面上に敷設されている軟質パッド層と、配線基板と合わせて軟質パッド層を挟んで固定しているカバーとを下から上へと備えている電子機器におけるナビゲーションキーであって、配線基板の面上にそのステッキが面上から上へと突出するように実装されている方向操作用のマイクロ・ステッキ・スイッチと、軟質パッド層にそこから上へとカバーを突出し、且つ上下２端にそれぞれ開口があるチューブ形になるように形成されている上、そのチューブ形の中空部にステッキの突出端部が挿入されているチューブ形突起と、その材質が軟質パッド層より硬質である上、チューブ形突起の中空部に充填されていると共に、ステッキの突出端部を上から包んでいるステッキ・キャップとからなっているナビゲーションキーを提供する。【選択図】図３
0003139036.tif 000002
【実用新案登録請求の範囲】
【請求項１】
配線基板と、前記配線基板の面上に敷設されている軟質パッド層と、前記配線基板と合わせて前記軟質パッド層を挟んで固定しているカバーとを下から上へと備えている電子機器におけるナビゲーションキーであって、
前記配線基板の面上にそのステッキが該面上から上へと突出するように実装されている方向操作用のマイクロ・ステッキ・スイッチと、
前記軟質パッド層にそこから上へと前記カバーを突出し、且つ上下２端にそれぞれ開口があるチューブ形になるように形成されている上、そのチューブ形の中空部に前記ステッキの突出端部が挿入されているチューブ形突起と、
その材質が前記軟質パッド層より硬質である上、前記チューブ形突起の中空部に充填されていると共に、前記ステッキの突出端部を上から包んでいるステッキ・キャップとからなっていることを特徴とするナビゲーションキー。
【請求項２】
前記電子機器のカバーに前記チューブ形突起を突出させる楕円形通孔が開設された場合に使用されるナビゲーションキーであって、
前記軟質パッド層における前記チューブ形突起の周りに、前記楕円形通孔に内嵌することができる楕円形の環状突起が前記チューブ形突起を囲むように形成されていることを特徴とする請求項１に記載のナビゲーションキー。
【請求項３】
前記マイクロ・ステッキ・スイッチとして、多方向操作性のものが実装されていることを特徴とする請求項１に記載のナビゲーションキー。
【請求項４】
前記軟質パッド層として、ゴムパッドが使用されており、前記ステッキ・キャップとして硬質プラスチック製のものが使用されていることを特徴とする請求項１に記載のナビゲーションキー。
【請求項５】
配線基板と、前記配線基板の面上に敷設されている軟質パッド層と、前記配線基板と合わせて前記パッド層を挟んで固定しているカバーとを下から上へと備えている電子機器であって、それに、
前記配線基板の面上にそのステッキが該面上から上へと突出するように実装されている方向操作用のマイクロ・ステッキ・スイッチと、
前記軟質パッド層にそこから上へと前記カバーを突出し、且つ上下２端にそれぞれ開口があるチューブ形になるように形成されている上、そのチューブ形の中空部に前記ステッキの突出端部が挿入されているチューブ形突起と、
その材質が前記軟質パッド層より硬質である上、前記チューブ形突起の中空部に充填されていると共に、前記ステッキの突出端部を上から包んでいるステッキ・キャップとからなっているナビゲーションキーが設置構成されていることを特徴とする電子機器。
【請求項６】
前記カバーに楕円形通孔が開設されており、
前記軟質パッド層における前記チューブ形突起の周りに、環状突起が前記チューブ形突起を囲むように形成されている上、前記楕円形通孔に内嵌していることを特徴とする請求項５に記載の電子機器。
【請求項７】
前記マイクロ・ステッキ・スイッチとして、多方向操作性のものが実装されていることを特徴とする請求項５に記載の電子機器。
【請求項８】
前記軟質パッド層として、ゴムパッドが使用されており、前記ステッキ・キャップとして硬質プラスチック製のものが使用されていることを特徴とする請求項５に記載の電子機器。
【考案の詳細な説明】
【技術分野】
【０００１】
本考案は、携帯情報端末等の電子機器におけるナビゲーションキー及びそれを有する電子機器に関する。
【背景技術】
【０００２】
携帯情報端末（Personal Digital Assistant：以下、ＰＤＡと称する）などの電子機器は、図４及び図５に示す従来技術（特許文献１参照）のように、配線基板４２と、前記配線基板４２の面上に敷設されていて前記配線基板への浸水を防ぐゴム材製の軟質パッド層４３と、前記配線基板４２と合わせて前記軟質パッド層４３を水密に挟んで固定しているカバー４１とを下から上へと備えている。このような電子機器には、時々ナビゲーションキーが設けられている。
【０００３】
従来のナビゲーションキーは、通常、前記従来技術に示すように、配線基板４２の面上にそのステッキ４４１が該面上から上へと突出するように実装されている方向操作用のマイクロ・ステッキ・スイッチ４４と、前記軟質パッド層４３にそこから上へと前記カバー４１を突出し、且つ開口が下にある帽子形になるように形成されている上、その中空部に前記ステッキ４４１の突出端部が下から前記開口を経由して挿入されている帽子形突起４３０と、前記帽子形突起４３０の中空部に充填されていると共に、前記ステッキ４４１の突出端部を上から包んでいるステッキ・キャップ４５とからなっている。
【０００４】
このようなナビゲーションキーは、前記ステッキ・キャップ４５が軟質的なものであれ硬質的なものであれ、少なくとも指などからの操作力を受ける面が軟質パッド層４３に形成された帽子形突起４３０の軟質的なトップ面４３１であるので、受ける操作力を緩和させ、即ちマイクロ・ステッキ・スイッチ４４への力作用を遅延させて応答が鈍くなる、という問題点がある。
【特許文献１】台湾実用新案第Ｍ２６３５３６号
【考案の開示】
【考案が解決しようとする課題】
【０００５】
本考案は、前記従来の問題点に鑑みてなされたものであって、従来に比べて応答性が鋭いナビゲーションキー及びそれを有する電子機器を提供することを目的とする。
【課題を解決するための手段】
【０００６】
前記目的を達成するために、本考案は、一側面から、配線基板と、前記配線基板の面上に敷設されている軟質パッド層と、前記配線基板と合わせて前記軟質パッド層を挟んで固定しているカバーとを下から上へと備えている電子機器におけるナビゲーションキーであって、前記配線基板の面上にそのステッキが該面上から上へと突出するように実装されている方向操作用のマイクロ・ステッキ・スイッチと、前記軟質パッド層にそこから上へと前記カバーを突出し、且つ上下２端にそれぞれ開口があるチューブ形になるように形成されている上、そのチューブ形の中空部に前記ステッキの突出端部が挿入されているチューブ形突起と、その材質が前記軟質パッド層より硬質である上、前記チューブ形突起の中空部に充填されていると共に、前記ステッキの突出端部を上から包んでいるステッキ・キャップとからなっているナビゲーションキーを提供する。
【０００７】
また、本考案は、他側面からも、配線基板と、前記配線基板の面上に敷設されている軟質パッド層と、前記配線基板と合わせて前記パッド層を挟んで固定しているカバーとを下から上へと備えている電子機器であって、それに、前記配線基板の面上にそのステッキが該面上から上へと突出するように実装されている方向操作用のマイクロ・ステッキ・スイッチと、前記軟質パッド層にそこから上へと前記カバーを突出し、且つ上下２端にそれぞれ開口があるチューブ形になるように形成されている上、そのチューブ形の中空部に前記ステッキの突出端部が挿入されているチューブ形突起と、その材質が前記軟質パッド層より硬質である上、前記チューブ形突起の中空部に充填されていると共に、前記ステッキの突出端部を上から包んでいるステッキ・キャップとからなっているナビゲーションキーが設置構成されている電子機器をも提供する。
【考案の効果】
【０００８】
前記構成によるナビゲーションキーの操作力を受ける面は、その材質が前記軟質パッド層より硬質である上、前記軟質パッド層から外に露出しているステッキ・キャップの頂面であるので、従来より応答性が鋭いナビゲーションキー及びそれを有する電子機器を提供することができる。
【考案を実施するための最良の形態】
【０００９】
以下、添付図面を参照して本考案の好適な実施の形態を詳細に説明する。なお、図中、似ている部品には、同一の参照符号を付する。
【００１０】
図１〜図３は本考案の「ナビゲーションキー及びそれを有する電子機器」の実施形態例であり、もっと詳しくは、本考案の「ナビゲーションキー」及びそれを備えたＰＤＡそれぞれの例である。
【００１１】
図１は本実施形態例のＰＤＡの部分組立斜視図であり、図２は本実施形態例のＰＤＡの部分分解斜視図であり、図３は本実施形態例のＰＤＡの部分断面構成図である。
【００１２】
図２に示すように、ＰＤＡ１は配線基板１２と、配線基板１２の面上に敷設されている軟質パッド層１３と、配線基板１２と合わせて軟質パッド層１３を挟んで固定しているカバー１１とを下から上へと備えている。
【００１３】
図示をもっと詳しくみると、ＰＤＡ１にナビゲーションキーが設置構成されている。このナビゲーションキーは、図３をも参照すると、配線基板１２の面上にそのステッキ１４１が該面上から上へと突出するように実装されている方向操作用のマイクロ・ステッキ・スイッチ１４と、軟質パッド層１３にそこから上へとカバー１１を突出し、且つ上下２端にそれぞれ開口があるチューブ形になるように形成されている上、そのチューブ形の中空部にステッキ１４１の突出端部が下から挿入されているチューブ形突起１３１と、その材質が軟質パッド層１３より硬質である上、チューブ形突起１３１の中空部に充填されていると共に、ステッキ１４１の突出端部を上から包んでいるステッキ・キャップ１５とからなっている。
【００１４】
即ち、ＰＤＡ１におけるナビゲーションキーの操作力を受ける面は、その材質が前記軟質パッド層より硬質である上、軟質パッド層１３から外に露出しているステッキ・キャップ１５の頂面１５１である。
【００１５】
また、本実施形態例では、マイクロ・ステッキ・スイッチ１４として、前後左右のいずれにも機能できる４方向操作性のものが採用されているが、前後左右の４方向の他に下方向にも機能できる５方向操作性のものも採用できる。
【００１６】
もっと詳しく説明すると、図２に示すように、カバー１１に楕円形通孔１１１が開設されており、軟質パッド層１３におけるチューブ形突起１３１の周りに、環状突起１３２がチューブ形突起１３１を囲むように形成されている上、楕円形通孔１１１に内嵌している（図３参照）。
【００１７】
そして、本考案における軟質パッド層１３として、軟質材料が使用され、ステッキ・キャップ１５として硬質材料が使用される。本実施形態例では、軟質パッド層１３としてゴムパッドが使用されており、ステッキ・キャップ１５としてＡＢＳ樹脂製のものが使用されている。
【００１８】
なお、本実施形態例では、使用材料が互いに異なる軟質パッド層１３とステッキ・キャップ１５とが、インサート成形や二色成形により成形されたので、両者は一体になり、即ち両者の間には隙間がないようになっていて軟質パッド層１３のもともとの水密性の目的が破壊されない。
【００１９】
最後に、前記実施形態例においては、ナビゲーションキーをＰＤＡに適用する場合を例として説明したが、ＰＤＡに限らず携帯電話、携帯型ゲーム機等の電子機器などのようなものに対しても適用可能なこと、その他本考案の精神及び必須の特徴事項から逸脱しない範囲内で種々変更を加え得ること、等は勿論である。従って、本明細書に記載した好ましい実施例は例示的なものであり、限定的なものではない。
【産業上の利用可能性】
【００２０】
叙上のように、本考案のナビゲーションキーの操作力を受ける面は、その材質が前記軟質パッド層より硬質である上、前記軟質パッド層から外に露出しているステッキ・キャップの頂面であるので、従来に比べて応答性が鋭いナビゲーションキー及びそれを有する電子機器を提供することができる。従って、本考案のナビゲーションキーを有する電子機器の操作性が向上するという優れた効果を奏し得る。
【図面の簡単な説明】
【００２１】
【図１】本考案の実施形態例のＰＤＡの部分組立斜視図。
【図２】本考案の実施形態例のＰＤＡの部分分解斜視図。
【図３】本考案の実施形態例のＰＤＡの部分断面構成図。
【図４】従来のＰＤＡの部分分解斜視図。
【図５】従来のＰＤＡの部分断面構成図。
【符号の説明】
【００２２】
１…ＰＤＡ（電子機器）
１１…カバー
１１１…通孔
１２…配線基板
１３…軟質パッド層
１３１…チューブ形突起
１３２…環状突起
１４…マイクロ・ステッキ・スイッチ
１４１…ステッキ
１５…ステッキ・キャップ
【図１】
0003139036.tif 000003
【図２】
0003139036.tif 000004
【図３】
0003139036.tif 000005
【図４】
0003139036.tif 000006
【図５】
0003139036.tif 000007